(57)【要約】医療処置時に患者により着用されるように構成されている下着が記載されている。例えば、本明細書は、患者の股関節部分を遮るもののない状態にしたままで患者の生殖器を覆い、股関節へのアクセスを必要とする医療処置を容易にする、下着を提供する。2017504732.tif 000003
2017504732.tif 000002
【特許請求の範囲】
【請求項１】
ヒト患者用の下着であって、該患者の一方の側腹部を完全に覆われていない状態にしたままで該患者の生殖器を覆うように該患者により着用されるように構成されており、該患者の腰部分および股関節部分を完全には囲まないように構成されている、下着。
【請求項２】
レッグホールを1つだけ含み、前記患者の一方の脚は該レッグホールを通って延びるが該患者のもう一方の脚は前記下着により囲まれないように該患者により着用されるように構成されている、請求項1に記載の下着。
【請求項３】
前記下着の前側部および該下着の後側部に取り付けられている第1の支持ストラップを含み、該第1の支持ストラップが該患者の第1の肩にかけて着用されるように構成されている、請求項2に記載の下着。
【請求項４】
前記第1の支持ストラップが、該第1の支持ストラップの長さを調節できる調節具を含む、請求項3に記載の下着。
【請求項５】
前記下着の側部および前記第1の支持ストラップに取り付けられている第2の支持ストラップを含み、該第2の支持ストラップが、前記第1の肩とは異なる該患者の第2の肩にかけて着用されるように構成されている、請求項3に記載の下着。
【請求項６】
前記第2の支持ストラップが、該第2の支持ストラップの長さを調節できる調節具を含む、請求項5に記載の下着。
【請求項７】
前記下着の部分的ウエストバンドが、該部分的ウエストバンドの長さを調節できる調節具を含む、請求項2に記載の下着。
【請求項８】
前記下着が、二つの様式で着用できるようにリバーシブルであり、該二つの様式のうち第1の様式は、該患者の右側腹部を完全に覆われていない状態にし、該二つの様式のうち第2の様式は、該患者の左側腹部を完全に覆われていない状態にする、請求項1に記載の下着。
【請求項９】
男性生殖器用の股間スペースを伴うように構成されている、請求項1に記載の下着。
【請求項１０】
使い捨ての一回使用の製品であるように構成されている、請求項1に記載の下着。
【請求項１１】
洗濯され再利用可能であるように構成されている、請求項1に記載の下着。
【請求項１２】
前記下着の少なくとも一部分が抗菌作用物質を含む、請求項1に記載の下着。
【請求項１３】
前記抗菌作用物質がコーティングである、請求項12に記載の下着。
【請求項１４】
鉛製のコーティング、ライナー、またはインサートをさらに含む、請求項1に記載の下着。
【請求項１５】
1つまたは複数の弾性部分をさらに含む、請求項1に記載の下着。
【請求項１６】
1つまたは複数の半剛性の支持要素をさらに含む、請求項1に記載の下着。
【発明の詳細な説明】
【技術分野】
【０００１】
関連出願の相互参照
本願は、2014年1月14日に出願された米国仮出願第61/927,263号の恩典を主張する。当該先願の開示は、本願の開示の一部とみなされる（および、参照により本願の開示に組み入れられる）。
【０００２】
1. 技術分野
本明細書は、医療処置時に患者によって着用されるように構成されている下着に関する。たとえば、本明細書は、患者の股関節部分を遮るもののない状態にしたままで患者の生殖器を覆い、股関節へのアクセスを必要とする医療処置を容易にする、下着に関する。
【背景技術】
【０００３】
2. 背景情報
股関節は、人体における最も重要な関節の一つである。股関節は、体重、および股関節と脚部の強い筋肉の力に耐える。股関節はまた、最も柔軟な関節の一つであり、肩を除く人体における他の関節の全てより広い範囲の動きが可能である。
【０００４】
股関節は、骨盤と大腿骨との間に形成されるボール&ソケット関節(ball-and-socket joint)である。寛骨臼として知られる、骨盤上のカップ型構造が、股関節のためのソケットを形成する。大腿骨の球状の先端部が関節のボールを形成する。股関節が事故で破壊されたり、年を取って摩耗したりした場合、外科医は、股関節を、金属およびプラスチックで作られかつヒト関節の動きを再現するように設計されたボール&ソケット関節に置換することができる。
【０００５】
股関節唇損傷は、股関節のソケットの外周を縁取りする唇と呼ばれる弾性軟組織の輪に影響を与える。この唇は、ソケットの様に働き、大腿骨の最上部にあるボールを適切な位置に保持する。アイスホッケー、サッカー、フットボール、ゴルフ、およびバレエのようなスポーツに参加するアスリートは、股関節唇損傷を発症する危険性が高い。股関節の構造的異常も股関節唇損傷につながりうる。股関節唇損傷の症状には、股関節痛または股関節における「引っ掛かり」感が含まれる。
【０００６】
外科医は、関節鏡視下術を用いて、関節内から砕けた断片を取り除き、股関節唇損傷を調整または修復することができる。股関節鏡視下手術は、関節鏡による股関節の内部の観察、および最小限の侵襲的手法による股関節病変の処置を指す。2種類の広く用いられている股関節鏡視下手術法が存在し、一方は患者が仰向け(仰臥位)になり、もう一方は患者が横向け(側臥位)になる。
【発明の概要】
【０００７】
概要
本明細書は、医療処置時の患者により着用されるように構成されている下着を提供する。例えば、本明細書は、患者の股関節部分を遮るもののない状態にしたままで患者の生殖器を覆い、股関節へのアクセスを必要とする医療処置を容易にする下着に関する。
【０００８】
全般的に、本明細書の1つの局面は、ヒト患者用の下着を特徴とする。当該下着は、患者の一方の側腹部を完全に覆われていない状態にしたままで患者の生殖器を覆うように患者により着用されるように構成されている。したがって、当該下着は、患者の腰部分および股関節部分を完全には囲まないように構成されていてもよい。
【０００９】
そのような下着には任意で、以下の特徴のうち1つまたは複数が含まれうる。いくつかの態様において、本明細書で提供される下着には、1つだけレッグホールが含まれる。いくつかのそのような態様において、当該下着は、患者の一方の脚がレッグホールを通って延びるが患者のもう一方の脚は下着により囲まれないように患者により着用されるように構成されている。任意で、第1の支持ストラップが、下着の前側部および下着の後側部に取り付けられていてもよい。いくつかの場合において、第1の支持ストラップは、患者の第1の肩に掛けて着用されるように構成されている。第1の支持ストラップには、第1の支持ストラップの長さを調節できる調節具が含まれうる。いくつかの態様において、下着には第2の支持ストラップも含まれる。いくつかのそのような態様において、第2の支持ストラップは、下着の側面および第1の支持ストラップに取り付けることができる。任意で、第2の支持ストラップは、第1の肩とは異なる患者の第2の肩に掛けて着用されるように構成されている。第2の支持ストラップには、いくつかの態様において第2の支持ストラップの長さを調節できる調節具が含まれる。下着の特定の態様には、部分的ウエストバンドの長さを調節できる調節具を含みうる部分的ウエストバンドが含まれうる。
【００１０】
さらに、本明細書で提供される下着には任意で、以下の特徴のうち1つまたは複数が含まれてもよい。いくつかの態様において、本明細書で提供される下着はリバーシブルであり、そのため該下着を二つの様式で着用できる。二つの様式のうち第1の様式は、患者の右側腹部を完全に覆われていない状態にし、二つの様式のうち第2の様式は、患者の左側腹部を完全に覆われていない状態にしうる。特定の態様において、下着は、男性生殖器用の股間スペースを伴う構成とされていてもよい。任意で、下着は、いくつかの態様において使い捨ての一回使用の製品であるように構成されていてもよい。いくつかの態様において、下着は、洗濯され再利用できるように構成されている。下着の少なくとも一部分は、抗菌スプレーコーティングなどの抗菌作用物質を含みうる。いくつかの態様において、下着には、鉛製のコーティング、ライナー、またはインサートが含まれる。下着は、1つまたは複数の弾性部分をさらに含みうる。任意で、下着は、1つまたは複数の半剛性の支持要素をさらに含みうる。
【００１１】
本明細書に記載の対象の特定の態様は、以下の利点の1つまたは複数を実現するように実施することができる。いくつかの態様において、本明細書で提供される下着は、患者により着用され、医療処置時に患者の生殖器を隠すことができる。したがって、一部の患者は、プライバシーおよびしとやかさを維持することができることから、より楽な気持ちで医療処置を受けることができる。いくつかの態様において、本明細書で提供される下着は、患者の生殖器を隠しながら、患者の股関節部分への開けたアクセスをもたらす。したがって、下着に妨害されることなく、股関節へのアクセスが必要な医療処置(例えば、股関節鏡視下手術または人工股関節置換術)を行うことができる。いくつかの態様において、本明細書で提供される下着は、サイズを調節可能であり、異なる体型の患者に適したフィット性を提供する。いくつかの態様において、本明細書で提供される下着はリバーシブルである。したがって、本明細書で提供される衣服は、患者の左右いずれの股関節部分へのアクセスを必要とする医療処置のためにも用いることができる。いくつかの態様において、本明細書で提供される衣服には、感染の可能性を低下させるための抗菌作用物質が含まれる。いくつかの態様において、鉛製のコーティングまたはライナーが、本明細書に記載の下着の一部に含まれ、患者防護を提供する。
【００１２】
別段の定義がない限り、本明細書で用いられる全ての技術的および科学的用語は、本発明が属する技術分野における当業者により通常理解されるものと同じ意味を有する。本発明を実施するために、本明細書に記載されているものと類似または同等の方法および材料を用いることができるが、適当な方法および材料が本明細書に記載される。本明細書で言及された全ての刊行物、特許出願、特許、および他の参考文献は、その全体が参照により組み入れられる。矛盾がある場合は、定義を含む本明細書が優先する。加えて、材料、方法、および実施例は、単なる例示であり、限定することを意図しない。
【００１３】
本発明の1つまたは複数の態様の詳細は、添付の図面および本明細書における説明に記載される。本発明の他の特徴、目的、および利点は、該説明および図面、ならびに特許請求の範囲から明らかである。
【図面の簡単な説明】
【００１４】
【図１】本明細書で提供されるいくつかの態様による例示的な股関節手術下着を着用した患者の前面図である。
【図２】図1に示す股関節手術下着を着用した患者の後面図である。
【図３】本明細書で提供されるいくつかの態様による別の例示的な股関節手術下着を着用した患者の前面図である。
【図４】図3に示す股関節手術下着を着用した患者の後面図である。
【図５】図3および4に示す股関節手術下着の透視図である。
【００１５】
同様の参照番号は全体を通して対応する部分を表す。
【発明を実施するための形態】
【００１６】
詳細な説明
本明細書は、医療処置時に患者により着用されるように構成されている下着を提供する。例えば、本明細書は、患者の股関節部分を遮るもののない状態にしたままで患者の生殖器を覆い、股関節へのアクセスを必要とする医療処置を容易にする下着を提供する。
【００１７】
いくつかの態様において、本明細書で提供される下着には、感染の可能性を低下させるための抗菌作用物質(例えば、コーティング)が含まれる。例えば、いくつかの態様において、トリクロサン(例えば、Microban(登録商標)、抗菌特性、ならびに抗真菌および抗ウイルス特性を有する塩素付加芳香族化合物)が、本明細書で提供される下着の全体または一部の上にコーティングされる。いくつかの態様において、他の抗菌コーティングが追加的にまたは代替的に含まれる。いくつかの態様において、鉛製のコーティング、ライナー、またはインサートが、本明細書に記載の下着の一部に含まれ、患者防護を提供する。
【００１８】
図1および2を参照すると、本明細書で提供されるいくつかの態様による股関節手術下着100を着用する患者10が示されている。下着100は、患者の股関節14の一方に遮るもののないアクセスを必要とする医療処置時に患者10により着用されうる。本明細書において、股関節部分は腹側部とも呼ばれうる。股関節14は下着100により覆われていないが、下着100は患者10の生殖器を覆う。したがって、患者10は、股関節14への遮るもののないアクセスを必要とする医療処置時に下着100を着用することにより好ましい程度のプライバシーおよびしとやかさを有利に保ちうる。
【００１９】
下着100は、股関節14の領域における術野への遮るもののないアクセスを必要とするさまざまな種類の医療処置時の使用によく適している。例えば、下着100は、股関節14の上前腸骨棘(ASIS)部分16への遮るもののないアクセスを可能にする。そのような医療処置には、人工股関節全置換、さまざまな種類の股関節骨折の処置、関節鏡視下手術を含む股関節内視鏡的手法、股関節検査、画像検査法、および患者10の側腹部へのアクセスを必要とする他の手法が含まれうるが、これらに限定されるわけではない。
【００２０】
いくつかの態様において、下着100は一回使用の使い捨て製品である。いくつかのそのような態様において、下着100は、綿、ポリプロピレン、ポリエチレン、ラテックス、スパンデックス、およびポリウレタンなど、ならびにそれらの組み合わせを含むが、これらに限定されるわけではない材料で作ることができる。いくつかの態様において、下着100は、洗濯されかつ再利用することができる。
【００２１】
患者10は男性として描かれているが、下着100またはそのわずかな変化物は、女性による使用にもよく適しうることが理解されるべきである。例えば、いくつかの態様において、男性版の下着100は、女性版の下着100では提供されない男性生殖器用の追加的な股間スペースを提供する。いくつかの他の態様において、下着100は男女共用のデザインである。
【００２２】
図示例では、患者10は、左股関節14を露出するように下着100を着用する。しかしながら、下着100は反対の股関節、すなわち、右股関節15を露出するようにも使用されうることが理解されるべきである。いくつかの態様において、下着100は、裏返して、右股関節15を露出したままで左股関節14を覆うように着用することが簡単にできる。すなわち、いくつかの態様において、下着100はリバーシブルであり、(左股関節14を覆うまたは右股関節15を覆う）いずれの向きにも着用することができる。代替の態様において、2つのバージョンの下着100が提供されうる。すなわち、右股関節15を覆う第1のバージョン(図示)が提供され、かつ左股関節14を覆う第2のバージョン(例えば、図示した第1のバージョンの鏡像)が提供されうる。
【００２３】
下着100は、異なる身体サイズの範囲に容易に適合できる。いくつかの態様において、下着100は、1つのバージョンの下着100が広範な身体サイズに適合できるように、(下記でさらに説明するように)調節可能である。他の態様においては、異なる身体サイズ範囲に適合するように、異なるサイズ(例えば、小、中、大、特大など)の下着100が提供されうる。いくつかの態様において、下着100は、調節することもできる異なるサイズで提供される。換言すると、下着100は、調節できることに加えて、小、中、大などのサイズで提供されうる。
【００２４】
図示した態様において、下着100には、本体パネル110、上縁部120、下縁部130、前後ストラップ140、およびサイドストラップ150が含まれる。本体パネル110は、最上部を上縁部120により、および最下部を下縁部130により縁取られている。本体パネル110は、両側を前側縁部142および後側縁部143により縁取られている。いくつかの態様において、前側縁部142および後側縁部143は前後ストラップ140の続きである。本体パネル110は、縫合、熱カシメ、および接着などの技術、ならびにこれらの技術の組み合わせを用いて縁部120、130、142、および143に取り付けられうる。
【００２５】
いくつかの態様において、上縁部120は、下着100の部分的ウエストバンドとして機能する弾性部材である。図示した態様において、上縁部120は、患者10の腰を完全には囲わない。代替の態様において、上縁部120は患者10の腰を囲みうる。いくつかのそのような態様において、上縁部120には脱離手段(例えば、スナップ、留め具、粘着タブ、面ファスナーなど)が含まれてもよく、必要に応じて臨床医が上縁部120を開いて術野からそれを取り外すために当該脱離手段を使用することができる。
【００２６】
いくつかの態様において、上縁部120には、上縁部120の部分または全体に1つまたは複数の半剛性の支持要素が含まれうる。支持要素は、上縁部120が患者10の腰の一部分を囲むその意図された概ね半円の形状を維持するのを確実にするのを助けることができる。いくつかのそのような態様において、半剛性の支持要素は、それが患者10の解剖学的構造の形態に適合できるように展性を有しうる。一度所望の形状が形成されると、展性を有する支持要素はその形状を維持する。
【００２７】
上縁部120には任意で、いくつかの態様において上縁部サイズ調節具124が含まれうる。上縁部サイズ調節具124を用いて、患者10は、例えば、患者10の腰サイズに本質的に適合するように、本体パネルのフィット性を所望のようにカスタマイズすることができる。上縁部サイズ調節具124は、種々の異なる種類の調節可能な仕組みを含むことができる。例えば、いくつかの態様において、上縁部サイズ調節具124は、上縁部120を長くするまたは短くするために用いることができるストラップおよびバックルである。いくつかの態様において、上縁部120のカスタマイズされたフィット性を提供するように選択的に連結できる一連のスナップが提供されうる。他の態様において、上縁部サイズ調節具124は、上縁部120のフィット性のカスタマイズのための面ファスナー、再シール可能な粘着テープ、および留め具などを含むことができる。
【００２８】
下縁部130は、本体パネル110に取り付けられ、患者10の一方の脚を囲む。下縁部130は、脚にフィットするように弾性を有しうる一方で、不快になるまたは患者10の血流を圧迫するほどには締め付け過ぎない。したがって、いくつかの態様において、下縁部130には、伸縮性ビニル、スパンデックス、およびナイロンなど、ならびにこのような材料の混合物などの材料が含まれるが、これらに限定されるわけではない。患者10の一方の脚だけが下着100によって囲まれる。
【００２９】
下着100には前後ストラップ140が含まれる。前後ストラップ140は、上縁部120の前方部分から患者10の肩18を越えて延び、上縁部120の後方部分で終点となる。したがって、前後ストラップ140は、患者10の腰回りまたはその近くの所望の位置に上縁部120を保持することができる。
【００３０】
いくつかの態様において、前後ストラップ140は、患者10の異なる体型に適合するように弾性を有しうる。任意で、前後ストラップ140には、前後ストラップ調節具144も含まれうる。前後ストラップ調節具144は、種々の異なる種類の調節可能な仕組みを含むことができる。例えば、いくつかの態様において、前後ストラップ調節具144は、前後ストラップ140を長くするまたは短くするために使用することができるストラップおよびバックルである。いくつかの態様において、前後ストラップ140のカスタマイズされたフィット性を提供するように選択的に連結できる一連のスナップが提供されうる。他の態様において、前後ストラップ調節具144は、前後ストラップ140のフィット性のカスタマイズのための面ファスナー、再シール可能な粘着テープ、および留め具などを含むことができる。
【００３１】
下着100には任意で、サイドストラップ150が含まれる。サイドストラップ150は、様々な形で構成されていてもよい。図示した態様では、サイドストラップ150は、患者10の股関節15の近くの上縁部120から患者10の肩19を越えて延び、前後ストラップ140と係合して終点となる。いくつかの態様において、サイドストラップ150と前後ストラップ140との間の係合は固定された係合である。いくつかの態様において、サイドストラップ150と前後ストラップ140との間の係合は調節可能な係合である。例えば、サイドストラップ150は、前後ストラップ140と摺動的に係合するループまたはバックルによって終点となる。したがって、サイドストラップ150は、患者10の異なる体型についてフィット性を調節するために、前後ストラップ140に関して移動されうる。
【００３２】
いくつかの態様において、サイドストラップ150は、弾性を有しうる。任意で、サイドストラップ150には、サイドストラップ調節具154も含まれうる。サイドストラップ調節具154は、種々の異なる種類の調節可能な仕組みを含むことができる。例えば、いくつかの態様において、サイドストラップ調節具154は、サイドストラップ150を長くするまたは短くするために使用することができるストラップおよびバックルである。いくつかの態様において、サイドストラップ150のカスタマイズされたフィット性を提供するように選択的に連結できる一連のスナップが提供されうる。他の態様において、サイドストラップ調節具154は、サイドストラップ150のフィット性のカスタマイズのための面ファスナー、再シール可能な粘着テープ、および留め具などを含むことができる。
【００３３】
任意のサイドストラップ150は他の形で構成されていてもよい。例えば、いくつかの態様において、サイドストラップ150は、患者10の股関節15の前方部分の近くの上縁部120から患者10の肩19を越えて延び、患者10の股関節15の後方部分の近くの上縁部120に係合して終了する。いくつかのそのような態様において、サイドストラップ150は任意で、患者10の胸または背中(またはその両方)上に配置されうる結合ストラップ(図示せず)を用いて前後ストラップ140に取り付けられうる。いくつかのそのような構成において、ストラップ(すなわち、ストラップ140、150、および結合ストラップ)は、通常ズボンサスペンダーと関連する形と類似の構成とされている。
【００３４】
図3、4および5を参照すると、本明細書において提供されるいくつかの態様による股関節手術下着200を着用している患者10が示されている。上記で説明した下着100と同様に、下着200は、患者の股関節14の一方に遮るもののないアクセスを必要とする医療処置時に患者10により着用されうる。股関節14は下着200により覆われていない一方で、下着200は患者10の生殖器を覆う。そのため、患者10は、股関節14への遮るもののないアクセスを必要とする医療処置時に下着200を着用することにより、好ましい程度のプライバシーおよびしとやかさを好都合に維持しうる。
【００３５】
下着200は、下着100に関連して上記で説明しているいずれかの形および技術で構築および使用されうる。
【００３６】
図示した態様において、下着200には、本体パネル210および前後ストラップ240が含まれる。前後ストラップ240は、本体パネル210から患者10の肩18を越えて延びる。図示した態様では、(下着100の任意のサイドストラップ150などの)サイドストラップは含まれない。
【００３７】
図示した態様においては、本体パネル210の端部に別個の縁材料部分が含まれない。むしろ、本体パネル210の材料は、その端部で終了するだけである。いくつかの態様において、本体パネル210の材料は、ヒートシール、接着、または裁縫など、およびそれらの組み合わせによりその端で終了する。いくつかの態様において、弾性部材が、本体パネル210の端の一部または全てに含まれる。いくつかの態様において、縁および/または縁部分は、本体パネル210の端の一部または全てに含まれる。
【００３８】
下着200には前後ストラップ240が含まれる。前後ストラップ240は、本体パネル210の前方部分から患者10の肩18を越えて、本体パネル210の後方部分で終了する。このように、前後ストラップ240は、本体パネル210を患者10の所望の位置に維持できる。
【００３９】
いくつかの態様において、前後ストラップ240は、患者10の異なる体型に適合するように弾性を有しうる。任意で、前後ストラップ240には、前後ストラップ調節具244も含まれうる。前後ストラップ調節具244は、種々の異なる種類の調節可能な仕組みを含むことができる。例えば、いくつかの態様において、前後ストラップ調節具244は、前後ストラップ240を長くするまたは短くするために使用することができるストラップおよびバックルである。いくつかの態様において、前後ストラップ240のカスタマイズされたフィット性を提供するように選択的に連結できる一連のスナップが提供されうる。他の態様において、前後ストラップ調節具244は、前後ストラップ240のフィット性のカスタマイズのための面ファスナー、再シール可能な粘着テープ、および留め具などを含むことができる。いくつかの態様において、前後ストラップ調節具244は、前後ストラップ240が2つの自由端を有するように完全に開かれ、次いで、本体パネル210の前方部分と後方部分との間に延在する本質的に1つの連続したストラップとして前後ストラップ240を構成するように再閉される。
【００４０】
下着200には、腰サイズ調節具224も含まれる。腰サイズ調節具224を用いて、患者10は、例えば、患者10の腰のサイズに本質的に適合するように、本体パネル210のフィット性を所望のようにカスタマイズすることができる。腰サイズ調節具224は、種々の異なる種類の調節可能な仕組みを含むことができる。例えば、いくつかの態様において、腰サイズ調節具224は、本体パネル210の腰サイズを長くするまたは短くするために用いることができるストラップおよびバックルである。いくつかの態様において、本体パネル210のカスタマイズされたフィット性を提供するように選択的に連結できる一連のスナップが提供されうる。他の態様において、腰サイズ調節具224は、本体パネル210のフィット性のカスタマイズのための面ファスナー、再シール可能な粘着テープ、および留め具などを含むことができる。いくつかの態様において、腰サイズ調節具224は、腰サイズ調節具224が2つの自由端を有するように完全に開かれ、次いで、本体パネル210の前方部分と後方部分との間に延在する本質的に1つの連続したストラップとして腰サイズ調節具224を構成するように再閉される。
【００４１】
いくつかの態様において、下着200には、下着200の部分に1つまたは複数の半剛性の支持要素が含まれうる。支持要素は、下着200がその意図した形状を維持するのを確実にするのを助けることができる。いくつかのそのような態様において、半剛性の支持要素は、それが患者10の解剖学的構造の形態に適合しうるように展性を有しうる。一度所望の形状が形成されると、展性を有する支持要素はその形状を維持する。
【００４２】
本明細書は多くの特定の実施の詳細を含むが、これらは、任意の発明の範囲またはクレームされうる事項の範囲に対する限定として解釈されるべきではなく、むしろ、特定の発明の特定の態様に特有でありうる特徴の説明として解釈されるべきである。別々の態様に関連して本明細書に記載されるある特定の特徴は、1つの態様において組み合わせて実施することもできる。反対に、1つの態様に関連して記載される種々の特徴は、複数の態様において別々にまたは任意の適当な部分的組み合わせで実施することもできる。さらに、特徴は、ある特定の組み合わせで機能するとして本明細書において記載され、さらにそのようなものとして最初にクレームされうるが、特許請求の範囲に記載の組み合わせの1つまたは複数の特徴は、いくつかの場合において、組み合わせから削られる可能性があり、かつ特許請求の範囲に記載の組み合わせは、部分的組み合わせまたは部分的組み合わせの変化形を対象としうる。
【００４３】
同様に、図面において複数の作業が特定の順序で示されているものの、これは、望ましい結果を達成するために、それらの作業が示された特定の順序または連続した順序で行われる、または全ての図示した作業が行われることが必要とされるとして理解されるべきではない。ある特定の状況では、マルチタスクの並行処理が有利である可能性がある。さらに、本明細書に記載の態様における種々のシステムモジュールおよび構成要素の分離は、そのような分離が全ての態様において必要とされるとして理解されるべきではなく、記載のプログラム構成要素およびシステムは概して、1つの製品において一体化されうるか、または複数の製品内にパッケージされうることが理解されるべきである。
【００４４】
対象の特定の態様が記載されている。他の態様は、添付の特許請求の範囲の範囲内である。例えば、特許請求の範囲に記載された作用は、異なる順序で実施されてもなお、所望の結果を達成することができる。一例として、添付の図に示したプロセスは、所望の結果を達成するのに、示した特定の順序または連続した順序を必ずしも必要とはしない。ある特定の実施では、マルチタスクの並行処理が有利である可能性がある。
【図１】
2017504732.tif 000004
【図２】
2017504732.tif 000005
【図３】
2017504732.tif 000006
【図４】
2017504732.tif 000007
【図５】
2017504732.tif 000008
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
ヒト患者用の下着であって、該患者の一方の側腹部を完全に覆われていない状態にしたままで該患者の生殖器を覆うように該患者により着用されるように構成されており、該患者の腰部分および股関節部分を完全には囲まないように構成されている、下着。
【請求項２】
レッグホールを1つだけ含み、前記患者の一方の脚は該レッグホールを通って延びるが該患者のもう一方の脚は前記下着により囲まれないように該患者により着用されるように構成されている、請求項1に記載の下着。
【請求項３】
前記下着の前側部および該下着の後側部に取り付けられている第1の支持ストラップを含み、該第1の支持ストラップが該患者の第1の肩にかけて着用されるように構成されている、請求項2に記載の下着。
【請求項４】
前記第1の支持ストラップが、該第1の支持ストラップの長さを調節できる調節具を含む、請求項3に記載の下着。
【請求項５】
前記下着の側部および前記第1の支持ストラップに取り付けられている第2の支持ストラップを含み、該第2の支持ストラップが、前記第1の肩とは異なる該患者の第2の肩にかけて着用されるように構成されている、請求項3に記載の下着。
【請求項６】
前記第2の支持ストラップが、該第2の支持ストラップの長さを調節できる調節具を含む、請求項5に記載の下着。
【請求項７】
前記下着の部分的ウエストバンドが、該部分的ウエストバンドの長さを調節できる調節具を含む、請求項2に記載の下着。
【請求項８】
前記下着が、二つの様式で着用できるようにリバーシブルであり、該二つの様式のうち第1の様式は、該患者の右側腹部を完全に覆われていない状態にし、該二つの様式のうち第2の様式は、該患者の左側腹部を完全に覆われていない状態にする、請求項1に記載の下着。
【請求項９】
男性生殖器用の股間スペースを伴うように構成されている、請求項1に記載の下着。
【請求項１０】
使い捨ての一回使用の製品であるように構成されている、請求項1に記載の下着。
【請求項１１】
洗濯され再利用可能であるように構成されている、請求項1に記載の下着。
【請求項１２】
前記下着の少なくとも一部分が抗菌作用物質を含む、請求項1に記載の下着。
【請求項１３】
前記抗菌作用物質がコーティングである、請求項12に記載の下着。
【請求項１４】
鉛製のコーティング、ライナー、またはインサートをさらに含む、請求項1に記載の下着。
【請求項１５】
1つまたは複数の弾性部分をさらに含む、請求項1に記載の下着。
【請求項１６】
1つまたは複数の半剛性の支持要素をさらに含む、請求項1に記載の下着。
【請求項１７】
ヒト患者用の下着であって、
前側部および後側部を含み、ウエストバンドを含む上縁部によって最上部を縁取られている、本体パネル;
該前側部および該後側部で該ウエストバンドに接触しており、該下着が該ヒト患者により着用されるときに該ヒト患者の肩の上を通る、前後ストラップ；
を含み、該下着が該ヒト患者により着用されるときに該ウエストバンドが該ヒト患者の腰を完全には囲まず、該ヒト患者の一方の脚を該下着により囲まれていない状態のままにする、前記下着。
【請求項１８】
前記本体パネルが、下縁部によって部分的に縁取られており、該下縁部の少なくとも一部が、該下縁部の一部が前記ヒト患者の身体にフィットすることができかつ該患者の生殖器を覆うことができるように弾性を有している、請求項17に記載の下着。
【請求項１９】
以下の段階を含む、ヒト患者に医療処置の用意をさせる方法：
該ヒト患者に下着を提供する段階であって、該下着が、前側部および後側部を含む本体パネルを含み、該本体パネルが単一のレッグホールを画定し、そのため該下着が該ヒト患者により着用されるときに該ヒト患者の一方の脚のみが該下着により囲まれる、段階。
【請求項２０】
前記下着が、前記本体パネルの前記前側部および前記後側部に接触する前後ストラップをさらに含み；
前記方法が、該前後ストラップを前記ヒト患者の肩に掛ける段階をさらに含む；
請求項19に記載の方法。
【手続補正２】
【補正対象書類名】明細書
【補正対象項目名】００１３
【補正方法】変更
【補正の内容】
【００１３】
[本発明1001]
ヒト患者用の下着であって、該患者の一方の側腹部を完全に覆われていない状態にしたままで該患者の生殖器を覆うように該患者により着用されるように構成されており、該患者の腰部分および股関節部分を完全には囲まないように構成されている、下着。
[本発明1002]
レッグホールを1つだけ含み、前記患者の一方の脚は該レッグホールを通って延びるが該患者のもう一方の脚は前記下着により囲まれないように該患者により着用されるように構成されている、本発明1001の下着。
[本発明1003]
前記下着の前側部および該下着の後側部に取り付けられている第1の支持ストラップを含み、該第1の支持ストラップが該患者の第1の肩にかけて着用されるように構成されている、本発明1002の下着。
[本発明1004]
前記第1の支持ストラップが、該第1の支持ストラップの長さを調節できる調節具を含む、本発明1003の下着。
[本発明1005]
前記下着の側部および前記第1の支持ストラップに取り付けられている第2の支持ストラップを含み、該第2の支持ストラップが、前記第1の肩とは異なる該患者の第2の肩にかけて着用されるように構成されている、本発明1003の下着。
[本発明1006]
前記第2の支持ストラップが、該第2の支持ストラップの長さを調節できる調節具を含む、本発明1005の下着。
[本発明1007]
前記下着の部分的ウエストバンドが、該部分的ウエストバンドの長さを調節できる調節具を含む、本発明1002の下着。
[本発明1008]
前記下着が、二つの様式で着用できるようにリバーシブルであり、該二つの様式のうち第1の様式は、該患者の右側腹部を完全に覆われていない状態にし、該二つの様式のうち第2の様式は、該患者の左側腹部を完全に覆われていない状態にする、本発明1001の下着。
[本発明1009]
男性生殖器用の股間スペースを伴うように構成されている、本発明1001の下着。
[本発明1010]
使い捨ての一回使用の製品であるように構成されている、本発明1001の下着。
[本発明1011]
洗濯され再利用可能であるように構成されている、本発明1001の下着。
[本発明1012]
前記下着の少なくとも一部分が抗菌作用物質を含む、本発明1001の下着。
[本発明1013]
前記抗菌作用物質がコーティングである、本発明1012の下着。
[本発明1014]
鉛製のコーティング、ライナー、またはインサートをさらに含む、本発明1001の下着。
[本発明1015]
1つまたは複数の弾性部分をさらに含む、本発明1001の下着。
[本発明1016]
1つまたは複数の半剛性の支持要素をさらに含む、本発明1001の下着。
本発明の1つまたは複数の態様の詳細は、添付の図面および本明細書における説明に記載される。本発明の他の特徴、目的、および利点は、該説明および図面、ならびに特許請求の範囲から明らかである。
【国際調査報告】
2017504732.tif 000009